(57)【要約】【課題】現実の山野エリアでの移動に係る所要時間を効果的に把握する為の経路情報管理システムを提供することを課題とする。【解決手段】登山及び自然探索等を行う山野エリアに関する経路の管理を行う経路情報管理システムであって、表示要求に応じて、座標系並びに標高が紐づけられた地図画像を表示する為の地図情報を出力する表示手段と、前記地図画像上で指定された座標点の指定を受け付ける指定手段と、前記指定手段で指定された２以上の座標点を用いて経路情報を設定し、経路の登録を受け付ける経路登録手段と、前記経路に含まれた各座標点それぞれの座標並びに標高を用いて、前記経路を移動する際の移動時間を算出する算出手段と、前記移動時間を用いて、所定の山野エリア経路を踏破する際の所要時間を算出する所要時間算出手段と、を備えることを特徴とする。【選択図】図１
2018179750.tif 000002
【特許請求の範囲】
【請求項１】
登山及び自然探索等を行う山野エリアに関する経路の管理を行う経路情報管理システムであって、
表示要求に応じて、座標系並びに標高が紐づけられた地図画像を表示する為の地図情報を出力する表示手段と、
前記地図画像上で指定された座標点の指定を受け付ける指定手段と、
前記指定手段で指定された２以上の座標点を用いて経路情報を設定し、経路の登録を受け付ける経路登録手段と、
前記経路に含まれた各座標点それぞれの座標並びに標高を用いて、前記経路を移動する際の移動時間を算出する算出手段と、
前記移動時間を用いて、所定の山野エリア経路を踏破する際の所要時間を算出する所要時間算出手段と、を備えることを特徴とする経路情報管理システム。
【請求項２】
前記指定手段で指定された１の座標点を用いて地点情報を設定し、地点の登録を受け付ける地点登録手段を備え、
前記経路登録手段は、前記地点を含む経路の設定を受け付けることを特徴とする請求項１に記載の経路情報管理システム。
【請求項３】
ユーザ端末から送信された山野エリア経路の作成要求を受け付ける受付手段と、
前記作成要求に基づいて山野エリア経路を作成する作成手段と、
前記山野エリア経路及び前記所要時間を有する山野エリア情報をユーザ端末に出力する出力手段と、を備えることを特徴とする請求項１又は請求項２に記載の経路情報管理システム。
【請求項４】
前記作成要求は、登録された前記経路を指定する経路指定情報を有し、
前記作成手段は、指定された経路に関する前記経路情報を用いて山野エリア経路を作成することを特徴とする請求項３に記載の経路情報管理システム。
【請求項５】
２以上の連続した前記経路に基づいて、主経路情報を設定し、主経路の登録を受付ける主経路登録手段を備え、
前記作成要求は、登録された前記主経路を指定する主経路指定情報を有し、
前記作成手段は、指定された主経路に関する前記主経路情報を用いて山野エリア経路を作成することを特徴とする請求項３又は４に記載の経路情報管理システム。
【請求項６】
前記作成要求は、前記指定手段で指定された１又は２以上の座標点を有し、
前記作成手段は、前記座標点を用いて山野エリア経路を作成することを特徴とする請求項３〜５の何れかに記載の経路情報管理システム。
【請求項７】
ユーザ端末が山野エリアでの滞在中に取得した位置情報を含む結果情報を受信する結果受信手段と、
前記位置情報を用いて、前記経路情報を修正する修正手段と、を備えることを特徴とする請求項１〜６の何れかに記載の経路情報管理システム。
【請求項８】
前記経路情報は、前記算出手段で算出した前記移動時間を有し、
前記修正手段は、前記経路情報に含まれる移動時間の修正を行うことを特徴とする請求項７に記載の経路情報管理システム。
【請求項９】
前記経路情報は、指定された座標点の座標を有し、
前記修正手段は、前記経路情報に含まれる座標点又は座標の修正を行うことを特徴とする請求項７又は８に記載の経路情報管理システム。
【請求項１０】
前記結果情報に基づいて補正係数を算出する補正係数算出手段を備え、
前記所要時間は、前記補正係数を用いて算出されることを特徴とする請求項７〜９の何れかに記載の経路情報管理システム。
【請求項１１】
登山及び自然探索等を行う山野エリアに関する経路の管理を行う経路情報管理サーバであって、
表示要求に応じて、座標系並びに標高が紐づけられた地図画像を表示する為の地図情報を出力する表示手段と、
前記地図画像上で指定された座標点の指定を受け付ける指定手段と、
前記指定手段で指定された２以上の座標点を用いて経路情報を設定し、経路の登録を受け付ける経路登録手段と、
前記経路に含まれた各座標点それぞれの座標並びに標高を用いて、前記経路を移動する際の移動時間を算出する算出手段と、
前記移動時間を用いて、所定の山野エリア経路を踏破する際の所要時間を算出する所要時間算出手段と、を備えることを特徴とする経路情報管理サーバ。
【請求項１２】
登山及び自然探索等を行う山野エリアに関する経路の管理を行う経路情報管理プログラムであって、
コンピュータを、表示要求に応じて、座標系並びに標高が紐づけられた地図画像を表示する為の地図情報を出力する表示手段と、
前記地図画像上で指定された座標点の指定を受け付ける指定手段と、
前記指定手段で指定された２以上の座標点を用いて経路情報を設定し、経路の登録を受け付ける経路登録手段と、
前記経路に含まれた各座標点それぞれの座標並びに標高を用いて、前記経路を移動する際の移動時間を算出する算出手段と、
前記移動時間を用いて、所定の山野エリア経路を踏破する際の所要時間を算出する所要時間算出手段と、として機能させることを特徴とする経路情報管理プログラム。
【発明の詳細な説明】
【技術分野】
【０００１】
本発明は、山野エリアにおける経路の管理を行う為の経路情報管理システムに関するものである。
【背景技術】
【０００２】
従来から、山岳地域、原野、湿原、など（以下、山野エリアとする）において、登山やハイキング、トレッキング等の運動、あるいはリクリエーションが行われている。例えば登山を行う場合を例示すると、登山の実施に先駆けて、出発地点並びに目的地点及びその経路を事前に調査して、登山の日程及び行程を有する登山計画を作成し、かつこの登山計画を所轄の自治体、警察署に登山届として提出することが推奨されている。また、地域によっては法令でこの届の提出が義務づけられていることもある。登山に限らず、山野エリアに入場する場合、こうした届を提出するのが推奨される。
【０００３】
ところで、このような登山計画を作成するにあたって、登山道の最新の状況を把握する必要がある。過去に登山道だった場所であっても、大雨、台風、雪崩、地震などの自然現象により登山道が崩壊しており通行できない場合や、迂回路が形成されている場合がある。計画時にこのような状況が把握できれば、計画を変更する、あるいは危険対策の装備を持参することができる。
【０００４】
また、多くの登山者や自然探訪者は、移動に係る所要時間を、登山道の案内書や公開されている登山記録を参照して算定している。しかし、この所要時間は、登山道の状況が変われば、公開されている情報とは違うものとなる。まして、登山道が整備されていないような場合は、地図を用いて所要時間を読み解き、推定するしかない。所要時間に関する別の課題は、個々人の登山経験、技術、体力、または気象条件などにより、要する時間が大幅に異なることである。
【０００５】
例えば、登山道の状況を把握するために自動報告手段を持たせた調査人に派遣して、通信手段を用いて自動的に状況データをサーバ計算機に報告させること、および、このサーバ計算機が取得したデータを登山者に通信手段により提供することで登山道の最新状況を把握する為の技術が知られている（特許文献１）。
【先行技術文献】
【特許文献】
【０００６】
【特許文献１】実用新案登録第３１７５３６１号公報
【特許文献２】特開Ｈ１０−５５４６５号公報
【発明の概要】
【発明が解決しようとする課題】
【０００７】
しかしながら、従来技術においては、山野エリアにおいて、携帯電話やスマートフォン等のモバイル通信が使用できることが前提となる。しかし、山岳地帯のような山野では通信を利用する人が少ないため、携帯電話用電波を受信・送信する基地局を設置することが経済的に引き合わず、通信できない地域となっているところが大半である。
【０００８】
また、樹木や谷間で無線通信の為の電波が届ないことから、衛星を介して通信を行うなど特別な手段を用いなければ、広域ネットワークに接続された外部のデータベースやサーバ装置等と通信を行うことが困難である。山域に配置された各装置それぞれに衛星との通信手段を設けることは、運用面やコスト面から現実的ではない。
【０００９】
また、移動に係る所要時間は調査人の固有のものであり、個人の資質を反映した所要時間を適切に算定できない。
【００１０】
本発明は現実の山野エリアでの移動に係る所要時間を効果的に把握する為の経路情報管理システムを提供することを解決すべき課題とする。
【課題を解決するための手段】
【００１１】
上記課題を解決するために、本発明は、登山及び自然探索等を行う山野エリアに関する経路の管理を行う経路情報管理システムであって、
表示要求に応じて、座標系並びに標高が紐づけられた地図画像を表示する為の地図情報を出力する表示手段と、
前記地図画像上で指定された座標点の指定を受け付ける指定手段と、
前記指定手段で指定された２以上の座標点を用いて経路情報を設定し、経路の登録を受け付ける経路登録手段と、
前記経路に含まれた各座標点それぞれの座標並びに標高を用いて、前記経路を移動する際の移動時間を算出する算出手段と、
前記移動時間を用いて、所定の山野エリア経路を踏破する際の所要時間を算出する所要時間算出手段と、を備えることを特徴とする。
【００１２】
このような構成とすることで、予め登録した経路に含まれる座標点間の標高差を用いて山野エリア経路の移動を行う際の所要時間を、より高精度に算出することができる。また、高精度に所要時間の算出が可能なため、ユーザが山野エリア経路に沿った移動を実施する為に、より適切に事前準備を行うことができる。そのため、ユーザの安全性をより高める効果が期待できる。また、山野エリア経路（又は単に経路）は、座標点によって構成されており、この座標点が、山野エリアにおける住所のような役割を果たす。そのため、遭難や土砂災害等が起こった位置を関係者間で情報共有する場合等に、対象となる座標点を一意に提示することが可能となり、座標点による効率的な情報共有が可能となる。
【００１３】
本発明の好ましい形態では、前記指定手段で指定された１の座標点を用いて地点情報を設定し、地点の登録を受け付ける地点登録手段を備え、
前記経路登録手段は、前記地点を含む経路の設定を受け付けることを特徴とする。
このような構成とすることで、予め地点を登録しておくことができ、この地点を用いて経路を登録したり、山野エリア経路の作成などを行うことができる。
【００１４】
本発明の好ましい形態では、ユーザ端末から送信された山野エリア経路の作成要求を受け付ける受付手段と、
前記作成要求に基づいて山野エリア経路を作成する作成手段と、
前記山野エリア経路及び前記所要時間を有する山野エリア情報をユーザ端末に出力する出力手段と、を備えることを特徴とする。
このような構成とすることで、作成した山野エリア経路をユーザ端末に出力して、表示などに利用することができる。
【００１５】
本発明の好ましい形態では、前記作成要求は、登録された前記経路を指定する経路指定情報を有し、
前記作成手段は、指定された経路に関する前記経路情報を用いて山野エリア経路を作成することを特徴とする。
このような構成とすることで、ユーザは、予め登録された経路情報を用いて、山野エリア経路を作成し、その経路や所要時間等を取得することができる。
【００１６】
本発明の好ましい形態では、２以上の連続した前記経路に基づいて、主経路情報を設定し、主経路の登録を受付ける主経路登録手段を備え、
前記作成要求は、登録された前記主経路を指定する主経路指定情報を有し、
前記作成手段は、指定された主経路に関する前記主経路情報を用いて山野エリア経路を作成することを特徴とする。
このような構成とすることで、ユーザは、予め登録された主経路に基づいて、山野エリア経路を作成し、その経路や所要時間等を取得することができる。
【００１７】
本発明の好ましい形態では、前記作成要求は、前記指定手段で指定された１又は２以上の座標点を有し、
前記作成手段は、前記座標点を用いて山野エリア経路を作成することを特徴とする。
このような構成とすることで、任意に指定された座標点を用いて経路（任意経路）を登録し、山野エリア経路を作成することができる。
【００１８】
本発明の好ましい形態では、ユーザ端末が山野エリアでの滞在中に取得した位置情報を含む結果情報を受信する結果受信手段と、
前記位置情報を用いて、前記経路情報を修正する修正手段と、を備えることを特徴とする。
このような構成とすることで、ユーザの位置情報に基づいて、経路情報を修正することができる。また、ユーザ端末が山野エリアでの滞在中に、結果情報の一部（途中経過分）を出力可能なネットワーク環境下において、結果情報を受け取り可能な構成とすることで、登録された山野エリア経路と、受け取った位置情報とに基づいて、ユーザの移動を詳細に把握することができる。そのため、ユーザの山野エリア経路での移動中の安全を高めることが可能である。
【００１９】
本発明の好ましい形態では、前記経路情報は、前記算出手段で算出した前記移動時間を有し、
前記修正手段は、前記経路情報に含まれる移動時間の修正を行うことを特徴とする。
このような構成とすることで、算出された移動時間を修正することができる。
【００２０】
本発明の好ましい形態では、前記経路情報は、指定された座標点の座標を有し、
前記修正手段は、前記経路情報に含まれる座標点又は座標の修正を行うことを特徴とする。
このような構成とすることで、経路を修正することができる。
【００２１】
本発明の好ましい形態では、前記結果情報に基づいて補正係数を算出する補正係数算出手段を備え、
前記所要時間は、前記補正係数を用いて算出されることを特徴とする。
このような構成とすることで、ユーザ別の所要時間を算出する為の補正係数を算出することができる。
【００２２】
本発明は、登山及び自然探索等を行う山野エリアに関する経路の管理を行う経路情報管理サーバであって、
表示要求に応じて、座標系並びに標高が紐づけられた地図画像を表示する為の地図情報を出力する表示手段と、
前記地図画像上で指定された座標点の指定を受け付ける指定手段と、
前記指定手段で指定された２以上の座標点を用いて経路情報を設定し、経路の登録を受け付ける経路登録手段と、
前記経路に含まれた各座標点それぞれの座標並びに標高を用いて、前記経路を移動する際の移動時間を算出する算出手段と、
前記移動時間を用いて、所定の山野エリア経路を踏破する際の所要時間を算出する所要時間算出手段と、を備えることを特徴とする。
【００２３】
本発明は、登山及び自然探索等を行う山野エリアに関する経路の管理を行う経路情報管理プログラムであって、
コンピュータを、表示要求に応じて、座標系並びに標高が紐づけられた地図画像を表示する為の地図情報を出力する表示手段と、
前記地図画像上で指定された座標点の指定を受け付ける指定手段と、
前記指定手段で指定された２以上の座標点を用いて経路情報を設定し、経路の登録を受け付ける経路登録手段と、
前記経路に含まれた各座標点それぞれの座標並びに標高を用いて、前記経路を移動する際の移動時間を算出する算出手段と、
前記移動時間を用いて、所定の山野エリア経路を踏破する際の所要時間を算出する所要時間算出手段と、として機能させることを特徴とする。
【発明の効果】
【００２４】
本発明によれば、現実の山野エリアでの移動に係る所要時間を効果的に把握する為の経路情報管理システムを提供することができる。
【図面の簡単な説明】
【００２５】
【図１】本発明の実施形態に関る経路情報管理システムの概要を示す図である。
【図２】本発明の実施形態に関る経路情報管理サーバのハードウェア構成図である。
【図３】本発明の実施形態に関る経路情報管理サーバの機能ブロック図である。
【図４Ａ】本発明の実施形態に関る管理者端末から地点・経路の登録を行う際の画面表示例である。
【図４Ｂ】本発明の実施形態に関る地点情報、経路情報の確認、登録を行う際の画面表示例である。
【図５】本発明の実施形態に関る地点・経路の登録の流れを示す処理フローチャートである。
【図６Ａ】本発明の実施形態に関る管理者端末から主経路の登録を行う際の画面表示例である。
【図６Ｂ】本発明の実施形態に関る主経路情報の確認、登録を行う際の画面表示例である。
【図７】本発明の実施形態に関る主経路の登録の流れを示す処理フローチャートである。
【図８】本発明の実施形態に関るユーザ端末から山野エリア経路を作成する際の画面表示例である。
【図９】本発明の実施形態に関る山野エリア経路の作成の流れを示す処理フローチャートである。
【図１０Ａ】本発明の実施形態に関る地点情報の修正を行う際の概念図である。
【図１０Ｂ】本発明の実施形態に関る地点情報の修正を行う際の概念図である。
【図１１】本発明の実施形態に関る山野エリアでの滞在中から経路情報の修正まで流れを示す処理フローチャートである。
【発明を実施するための形態】
【００２６】
以下、図面を用いて、本発明の実施形態に関る経路情報管理システムについて説明する。なお、以下に示す実施形態は本発明の一例であり、本発明を以下の実施形態に限定するものではなく、様々な構成を採用することもできる。
【００２７】
例えば、本実施形態では経路情報管理システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２８】
なお、本実施形態においては、山野エリアにおいて登山を行うユーザ（登山者）に対して、登山経路（山野エリア経路）の移動に係る所要時間を算出する為の経路情報管理システムを提供する場合について例示する。本発明は、登山に限らず、ハイキングやトレッキング、クライミング、アウトドアスポーツ、キャンプなど、山野エリアでの移動を含むアクティビティ全般に対して適用可能である。
【００２９】
図１は、本発明の実施形態に関る経路情報管理システムの概要を示す図である。経路情報管理システムは、経路情報管理サーバ１と、管理者端末２と、山野エリアにおいてアクティビティを実施するユーザが携行するユーザ端末３と、を備えている。経路情報管理サーバ１、管理者端末２及びユーザ端末３は、ネットワークＮによって通信可能に構成されている。
【００３０】
図２は、本発明の実施形態に関る経路情報管理サーバのハードウェア構成図である。経路情報管理サーバ１は、ＣＰＵ１０１と、メモリ１０２と、記憶装置１０３と、入力装置１０４と、出力装置１０５と、外部装置と通信を行うためのインタフェースである通信装置１０６と、を備えている。また、記憶装置１０３は、オペレーティングシステム１０７（ＯＳ）と、経路情報管理プログラム１０８などが記録されている。
【００３１】
管理者端末２は、経路の登録等を行う為に利用される端末であって、例えばＰＣ、スマートフォン、タブレット端末、などを用いることができる。管理者端末２は、経路情報管理サーバ１に対して地点や経路、主経路の登録等を行う為のアプリケーションや、ウェブブラウザアプリケーション等を記憶している。管理者端末は、１又は複数使用されても構わない。
【００３２】
ユーザ端末３は、ユーザにより登山に携行される携帯情報端末であって、例えばタッチパネルを搭載したスマートフォンや、携帯電話、タブレット端末、などである。ユーザ端末は、モバイル通信を行う為の基地局や無線ＬＡＮを経由したインターネット接続を行うことが可能である。山域Ｍにおいては、通信環境によってインターネット接続ができない場合がある。また、位置情報を取得する為のアンテナモジュールを備えており、現在位置を取得することができる。また、登山経路（山野エリア経路）を含む登山計画の登録、記録及び表示と、その他、必要な情報の登録、記録表示及び経路情報管理サーバ１への出力を行う為のアプリケーション等を備えている。登山計画の登録と、その記録と、を行う端末は、同一でも別々であってもよい。
【００３３】
図３は、経路情報管理サーバ１の機能ブロック図である。経路情報管理サーバ１は、記憶部４と、表示手段５と、指定手段６と、地点登録手段７と、経路登録手段８と、算出手段９と、経路指定手段１０と、主経路登録手段１１と、受付手段１２と、作成手段１３と、所要時間算出手段１４と、出力手段１５と、結果受信手段１６と、修正手段１７と、補正係数算出手段１８と、を備えている。
【００３４】
また、ユーザ端末３は、受信した計画情報や結果情報を記憶する為の記憶部３０と、登録された山野エリア経路情報を含む計画情報を受け取る受信手段３１と、ＧＰＳ通信部等の位置取得部３２と、記憶した計画情報に基づいて地図を表示したり、位置取得部３２で取得した現在位置を表示する表示手段３３と、位置取得部３２で取得した現在位置に基づいて、山野エリア滞在中に取得した位置情報を記憶する結果記憶手段３４と、位置取得部３２で取得した位置又は、指定手段３５で地図上から任意に指定した位置から、所定の位置又は指定手段３５で地図上から任意に指定した位置までの所要時間を算出する所要時間算出手段３６と、結果情報を経路情報管理サーバ１に出力する結果出力手段３７と、を備えている。
【００３５】
記憶部４は、緯度経度並びに高度が紐づけられた地図情報を記憶した地図ＤＢ４１と、登録された地点情報、経路情報及び主経路情報を記憶した地点・経路ＤＢ４２と、登録された登山経路（山野エリア経路）を含む登山計画を登録する登山計画ＤＢ４３と、登録された登山結果を記憶する登山結果ＤＢ４４と、ユーザ情報を記憶するユーザＤＢ４５と、を備えている。
【００３６】
表示手段５は、管理者端末２、ユーザ端末３からの地図の表示要求に対して、緯度経度並びに高度が紐づけられた地図を表示させる。また、本実施形態では、管理者端末２からの拡大・縮小要求や、移動要求に応じて、地図の要求を変化させることができる。また、本実施形態では、表示された地図上に、登録された地点や経路、主経路等が表示される。
【００３７】
管理者端末２は、表示された地図に対して、地点や経路、主経路等の作成、編集、登録等を行う。ユーザ端末３は、表示された地図に対して、経路等の作成、編集、登録等を行う。本実施形態では、地図ＤＢ４１に記憶された地図情報を用いて地図の表示要求に応じているが、外部のＤＢに記憶された地図情報を利用しても構わない。
【００３８】
＜地点・経路の登録＞
指定手段６は、地図上の座標に対する指定入力を受け付ける。地点登録手段７は、指定手段６によって指定された座標に基づいて、地点情報を生成し、地点の登録を行う。本実施形態では、地点登録手段７は、管理者端末２より、指定され地点の座標情報や、地点名などの必要な情報を受け取って地点情報を生成し、地点を登録する。地点情報は、例えば地点ＩＤと、地点名、座標情報等を有しており、登録された地点情報は、地点・経路ＤＢ４２に記憶される。
【００３９】
経路登録手段８は、指定手段６によって指定された座標に基づいて、経路情報を生成し、経路の登録を行う。経路情報は、例えば経路ＩＤと、経路名、経路の方向区分（共通、上り専用、下り専用、等）、始点となる地点ＩＤ、終点となる地点ＩＤ、難易係数、登り時間（移動時間）、下り時間（移動時間）、始点・終点間に含まれた０、１又は複数の経路中座標の座標情報、等を有しており、登録された経路情報は、地点・経路ＤＢ４２に記憶される。始点や終点の地点が登録されていない場合には、地点登録手段７を介して地点の登録を行ってもよい。
【００４０】
図４Ａは、管理者端末２から地点・経路の登録を行う際の画面表示例である。管理者は、表示手段５で表示された地図上において、地点登録手段７を介して登録した地点や、指定手段６を介して指定した新たな座標を選択し、始点及び終点を含む複数の座標を指定する。
【００４１】
経路登録手段８は、管理者端末２より、指定され地点や座標の座標情報、経路名などの必要な情報を受け取って経路情報を生成し、経路を登録する。図示例では、地点ＰＡを始点、地点ＰＢを終点とし、経路中座標ｐＡＢ１〜ｐＡＢ１２によって指定された経路ＲＡＢを登録する場合の画面表示例である。
【００４２】
図４Ｂは、地点情報、経路情報の確認、登録を行う際の画面表示例である。図示例では、図４Ａの画面において、始点として指定した地点の地点ＩＤ、終点として指定した地点の地点ＩＤ、登録しようとしている経路の経路ＩＤ、が表示されている。また、経路の方向区分（図示例における方向）、初期値としての難易係数（図示例における補正係数）等を指定して、経路情報を登録する。
【００４３】
指定した地点が既に登録済みの場合、地点を置き換えたり、新たに登録した地点と登録済みの地点を紐づけ、登録済みの地点情報を参照可能に構成してもよい。これにより、例えば、地点名称等を参照することができる。例えば、指定した座標と、一番近い登録済みの地点に係る座標と、の距離が所定の距離内の場合や、画面のピクセル数が所定の数内の場合等に、指定された座標を、登録済みの地点と判断する。
【００４４】
本実施形態では、ＩＤは、地点、経路、主経路等のデータ種別と、１桁の地域コードと、１桁の山域コードと、４桁の連続番号と、によって構成されている。地域コードは、例えば、北海道、上信越、関東、近畿、等地域ごとに設定されており、山域コードは、各地域について、予め登録された主要な山域を示すコードである。コードが付されていない山域の場合は、地域コード及び山域コードに替えて、２桁の都道府県番号等を付してもよい。コード、番号は、指定した座標情報に基づいて、自動で設定される。
【００４５】
経路の移動時間（本実施形態における、上り時間及び下り時間）は、算出手段９を用いて算出される。以下、移動時間の算出方法について、経路Ｒの移動時間の算出を例として説明する。１の経路は、ｉ（２以上）の座標点と、ｊ（＝ｉ−１）の直線によって構成されている。
【００４６】
経路に含まれる座標点（始点、終点並びに０、１又は複数の経路中座標）Ｐｉ（ｉ＝１，２，・・・ｎ）の北緯（座標情報）、東経（座標情報）、標高を、Ｎｉ、Ｅｉ、Ａｉとし（北緯東経はラジアン）、地球の平均的な半径をｒ（＝６３６７４４５ｍ）とする。ここで、始点Ｐ１の北緯、東経、標高を、Ｎ１、Ｅ１、Ａ１とする。終点Ｐｎの北緯、東経、標高を、Ｎｎ、Ｅｎ、Ａｎである。式１は、地点Ｐｉと地点Ｐｉ＋１との水平距離をＨｊ（ｊ＝１，２，・・・Ｎ−１）求める式であり、式２は、地点Ｐｉと地点Ｐｉ＋１との高低差をＶｊ求める式である。
【００４７】
【数１】
2018179750.tif 000003
【数２】
2018179750.tif 000004
【００４８】
算出手段９は、式１及び式２で求めた値を用いて、経路の始点から終点までの移動時間を算出する。式３は、移動時間Ｔ（登り時間（Ｔｕ）、下り時間（Ｔｄ））を算定する。ここで、係数Ｋｈは水平距離を移動するのに要する時間、係数Ｋｚｕは垂直距離を登りで移動するのに要する時間、係数Ｋｚｄは垂直距離を下りで移動するのに要する時間、係数ｋｊは、経路の難易度（本実施形態の経路情報に含まれた難易係数）を意味する。
【００４９】
【数３】
2018179750.tif 000005
【数４】
2018179750.tif 000006
【００５０】
係数Ｋｈ、係数Ｋｚｕ、係数Ｋｚｄは、任意に設定した係数である。例えば、結果受信手段１６において受けとった登山者の移動ログ、ユーザの属性等に基づいて、平均的な係数を算出し、登録、更新してもよい。係数ｋｊは、上り下り共通でなくてもよく、例えば登り用の難易係数、下り用の難易係数を個別に定義し、登り時間（Ｔｕ）、下り時間（Ｔｄ）を算出してもよい。
【００５１】
移動経路の難易係数ｋは、例えば、ｋ＝０．８（容易、２０％の時間短縮が可能）、ｋ＝１．０（標準、特に難易はない）、ｋ＝１．２（やや困難、２０％多くの時間がかかる）、ｋ＝１．５（困難、５０％多くの時間がかかる）、ｋ＝２．０（非常に困難、倍の時間がかかる）といった形で段階的に変化させてもよい。
【００５２】
図５を用いて、地点・経路の登録の流れについて説明する。ステップＳ１では、始点となる座標を指定する。座標点が指定されると、予め登録された地域・山域テーブルに基づいて始点の地点ＩＤが付与される（ステップＳ２）。なお、連続番号については、システム側から自動的に付与されてもよいし、任意に指定してもよい。
【００５３】
ステップＳ３では、指定手段６を用いて、地図上の複数の座標に対する指定入力を行う。最後に選択された座標が終点と判断され、予め登録された地域・山域テーブルに基づいて終点の地点ＩＤが付与される（ステップＳ４）。また、予め登録された地域・山域テーブルに基づいて登録しようとしている経路の経路ＩＤが付与される（ステップＳ５）。
【００５４】
経路に関する座標の指定ができたなら、経路の方向区分、難易係数を設定し（ステップＳ６）、登録ボタンを選択して、地点、経路の登録を行う（ステップＳ７）。
【００５５】
ステップＳ８では、新たに登録された地点が、既に登録済みの地点と同じか否かを判断する。同じと判断された場合（ステップＳ８でＹｅｓ）、登録済みの地点の地点情報と紐づけ、新たに登録した地点が、登録済みの地点に係る地点情報を参照可能にする（ステップＳ９）。異なると判断された場合（ステップＳ８でＮｏ）、新たな地点として登録する（ステップＳ１０）。そして経路の移動時間を算出して、経路情報として登録する（ステップＳ１１）。
【００５６】
＜主経路の登録＞
経路指定手段１０は、地図上の経路に対する経路指定情報の入力を受け付ける。主経路登録手段１１は、経路指定手段１０によって指定された経路に基づいて、主経路情報を生成し、主経路の登録を行う。主経路情報は、例えば主経路ＩＤと、主経路名、経路の方向区分（共通、上り専用、下り専用、等）、１又は複数の経路ＩＤ等を有しており、登録された主経路情報は、地点・経路ＤＢ４２に記憶される。
【００５７】
図６Ａは、管理者端末２から主経路の登録を行う際の画面表示例である。管理者は、表示手段５で表示された地図上において、経路指定手段１０を介して指定した１又は複数の経路に基づいて、主経路を指定する。図示例では、管理者は、経路指定手段１０を介して、経路ＲＡＢ、経路ＲＢＣ、経路ＲＣＤを選択し、地点ＰＡから地点ＰＢ、地点ＰＣを経由して地点ＰＤに向かう経路（図示例において破線で表された経路）を主経路として登録する。
【００５８】
図６Ｂは、主経路情報の確認、登録を行う際の画面表示例である。図示例では、登録しようとしている主経路の主経路ＩＤ、図５Ａの画面において指定した経路の経路ＩＤ、各経路の始点及び終点についての地点ＩＤ並びに名称、名称、が表示されている。また、経路の方向区分（図示例における方向）等を指定して、主経路情報を登録する。
【００５９】
図７を用いて、主経路の登録の流れについて説明する。ステップＳ２１では、主経路ＩＤの付与と、主経路名の登録を行う。ステップＳ２２では、主経路の進行区分が指定される。ステップＳ２３では、主経路に含まれる１又は複数の経路を、経路指定手段１０を用いて指定する。そして、主経路を登録する（ステップＳ２４）。
【００６０】
＜山野エリア経路の作成＞
受付手段１２は、ユーザ端末３からの登山経路（山野エリア経路）の作成要求を受け付ける。作成要求は、表示手段５を介してユーザ端末３に表示された地図に対して、経路指定手段１０を介して入力された経路指定情報又は主経路指定情報、指定手段６を介して入力された座標指定情報、地点指定情報等を有する。ユーザは、例えば、ある山域における入山地からいくつかの地点を経て下山地に到達するように、登山経路（山野エリア経路）を作成する。
【００６１】
作成手段１３は、受付手段１２で受け付けた作成要求に基づいて、登山経路（山野エリア経路）を作成する。登山経路（山野エリア経路）が作成されると、所要時間算出手段１４は、登山経路（山野エリア経路）を移動するのに必要となる所要時間を算出する。所要時間は、本実施形態では、算出手段９で求めた各経路の移動時間及び、ユーザ情報として登録された補正係数を用いて、算出される。
【００６２】
図８は、ユーザ端末３から山野エリア経路を作成する際の画面表示例である。ユーザは、表示手段５で表示された地図上において、地点登録手段７を介して登録された地点や指定手段６を介して座標を指定して任意経路の経路情報の登録を行い、及び／又は経路指定手段１０によって事前に登録された１又は複数の経路、主経路を指定して山野エリア経路を作成する。
【００６３】
図示例では、管理者は、経路指定手段１０を介して経路ＲＡＢを選択し、更に、地点ＰＢから地点ＰＥの間にあるｐ１を基端とした任意経路（バリエーションルート）（図示例におけるｐ１〜ｐ８によって作成される経路）を登録し、ＰＡからｐ８までを往復して移動する登山経路（山野エリア経路）を登録する。任意経路（バリエーションルート）とは、経路情報として登録されていない経路を、指定手段６で地点を指定して作成した、ユーザ独自の経路である。
【００６４】
本実施形態では、作成手段１３は、受付手段１２を介して入力された経路の作成要求及び、登山計画（計画情報）の作成要求に基づいて、登山計画を作成し、登山計画ＤＢ４３に記憶する。登山計画は、例えば、登山の日程、登山山域、登山者、緊急連絡先、登山経路、地図、等の情報を有している。
【００６５】
出力手段１５は、ユーザ端末３からの作成要求に基づいて作成手段１３を用いて作成した登山経路（山野エリア経路）を含む、計画情報の少なくとも一部を、ユーザ端末３に出力する。出力手段１５は、ユーザ端末３によるインターネット通信ができない山域などにおいても、ユーザ端末３のモニタ上に地図や経路を表示させるため、登山計画（計画情報）に含まれる少なくとも一部の情報、即ち、経路情報や地点情報、地図情報等を、出力する。
【００６６】
図９を用いて、山野エリア経路を作成する流れについて説明する。主経路や経路を選択して登山経路（山野エリア経路）を作成する場合（ステップＳ３１でＹｅｓ）、経路指定手段１０を用いて、主経路を選択（ステップＳ３２でＹｅｓ、ステップＳ３３）又は、１又は複数の経路の選択（ステップＳ３４）を行って、登山経路を指定する。
【００６７】
任意経路（バリエーションルート）を作成する場合（ステップＳ３５でＹｅｓ）、指定手段６を用いて、地図上の複数の座標に対する指定入力を行い（ステップＳ３６）、任意経路の登録を行う（ステップＳ３７）。更なる地点、経路を指定して、山野エリア経路を編集、追加する場合（ステップＳ３８でＮｏ）は、作成ステップＳ３１〜３７に戻って経路の選択や、地点の指定による任意経路の作成を行う。指定が完了した場合（ステップＳ３８でＹｅｓ）、山野エリア経路を作成する（ステップＳ３９）。
【００６８】
山野エリア経路が作成されると、作成された山野エリア経路を移動する際に必要となる所要時間が、所要時間算出手段１４によって算出される（ステップＳ４０）。そして、その他計画（登山計画）に必要な情報を入力する（ステップＳ４１）。
【００６９】
計画を修正する場合（ステップＳ４２でＹｅｓ）、ステップＳ４１（図示せず）や、ステップＳ１に戻り、山野エリア経路やその他の情報を修正する。計画が登録された場合（ステップＳ４２でＮｏ）、山野エリア経路情報、地図情報を有する計画情報の少なくとも一部を、ユーザ端末３からの要求に基づいて出力する（ステップＳ４３）。これにより、ユーザは、インターネット等の広域ネットワークでの通信ができない山域などにおいて、経路の情報や移動時間の情報を確認することができる。
【００７０】
なお、本実施形態において、ユーザ端末３に出力される山野エリア経路情報は、山野エリア経路に含まれる経路、主経路、任意経路、について、それらを構成する座標情報の少なくとも一部を有している。出力された計画情報は、記憶部３０に記憶される。
【００７１】
また、ユーザ端末３に出力される地図情報は、山野エリア経路として登録されたルートに対応した地域の地図情報であって、少なくとも座標が紐づけられている。更に高度が紐づけられていても構わない。これにより、位置取得部３２が受信したＧＰＳ信号等に基づく現在位置を、表示手段３３で表示した地図上に表示することができる。
【００７２】
ユーザ端末３は、位置取得部３２で取得した現在位置又は指定手段３５で指定した任意の位置から、山野エリア経路の終点等の所定の位置又は指定手段３５で指定された任意の地点までの移動に必要となる所要時間を、所要時間算出手段３６により算出する。所要時間算出手段３６は、所要時間算出手段１４と同様に、地図情報に紐づけられた高度又は経路情報に含まれた高度を用いて、所要時間を算出する。記憶したユーザの補正係数や、経路情報に紐づけられた難易係数等に基づいて、所要時間を算出してもよい。
【００７３】
＜結果情報の登録＞
ユーザ端末３は、山野エリアでの滞在中に、位置取得部３２により所定の時間間隔で位置情報を取得しており、取得された複数の位置情報は、結果記憶手段３４により、記憶部３０に移動ログとして記録される。記憶された位置情報は、ユーザ端末３に記録する際、ユーザ端末３への記録後、又は結果受信手段１６での受信後に、計測誤差の修正処理を受けてもよい。計測誤差の修正処理は、例えば、計測した位置情報の座標が、山野エリア経路として記録された複数の地点情報の座標に対して所定の距離内に含まれる場合に、その地点情報の位置に補正する処理である。
【００７４】
結果受信手段１６は、ユーザ端末３において検出され、結果出力手段３７により出力された位置情報を含む結果情報を受け取る。結果情報は、山野エリアでの滞在中（登山中）に取得した複数の位置情報を有する。結果受信手段１６を介して受けとった結果情報は、結果情報ＤＢ４４に記憶される。
【００７５】
修正手段１７は、受け取った位置情報（結果情報）に基づいて、登録された経路情報を修正する。例えば、経路の難易係数の修正や、経路情報の有する１又は複数の地点情報の修正を行う。難易係数の修正は、位置情報によって得られた座標間の移動時間に基づいて、登録された経路を移動する為の移動時間を算出し、その移動時間に基づいて難易係数の修正を行う。
【００７６】
修正手段１７は、取得した結果情報に含まれる座標を用いて、経路情報の有する経路の座標を修正したり、座標間の移動時間を用いて、経路を移動する為の移動時間や経路の難易係数を修正したり、座標間の移動の順番を用いて、経路の方向区分を修正したりすることができる。
【００７７】
図１０Ａ、図１０Ｂは、経路情報の有する地点情報の修正を行う際の概念図である。図１０Ａに示すように、位置取得部３２、結果記憶手段３４を介して取得され、結果出力手段３７、結果受信手段１６を介して受け取った位置情報は、複数の座標ｐ、座標ｐ１〜９を有しているとする。地点ＰＢと地点ＰＣの間を、ｐ１〜ｐ９のように経路情報として登録されたＲＢＣを構成する地点間座標とは異なる経路に沿って取得される場合がある。
【００７８】
異なる経路に沿った同一又は類似した座標の組を有する位置情報が、複数のユーザから結果情報として登録された場合、修正手段１７は、登録された経路ＲＢＣが通行できなくなり、ｐ１〜９によって構成された迂回路が形成された場合など、経路が変更されたと判断する。その際に、経路ＲＢＣに含まれる地点間座標を、座標ｐ１〜ｐ９等の情報に基づいて変更し、経路情報の修正を行う。図１０Ｂは、経路ＲＢＣに含まれる地点間座標を修正した場合の概念図である。
【００７９】
補正係数算出手段１８は、ユーザごとの移動速度を加味した補正係数を算出する。補正係数は、ユーザ情報としてユーザＤＢ４５に記憶される。補正係数は、例えば、結果情報として登録された座標に基づいて、ある経路の現実の移動時間を算出し、経路の標準的な移動時間と比較するなどして、補正係数を算出する。例えば、補正係数として、係数Ｋｈ、係数Ｋｚｕ、係数Ｋｚｄを用いる。
【００８０】
図１１を用いて、山野エリアでの滞在中から経路情報の修正まで流れについて説明する。ユーザは、ユーザ端末３等を用いて登山開始を宣言することで、登山の開始が判断される（ステップＳ５１でＹｅｓ）。登山の開始が宣言されると、経路情報管理サーバ１や登山計画の管理用サーバ（図示せず）等に対して、記憶した登山計画に関する登山が実行中であることを示すフラグが設定される。登山の開始は、必ずしも宣言する必要はなく、位置取得部３２で取得した位置情報等に基づいて、登山の開始が判断されても構わない。
【００８１】
また、登山の開始に基づいて、位置情報の取得が開始される（ステップＳ５２）。山野エリア経路情報に含まれた座標（既知の位置）に関する情報に対して、取得した位置情報に対応する地点がある場合（ステップＳ５３でＹｅｓ）、取得した位置を、既知の位置に補正する（ステップＳ５４）。ステップＳ５２で取得した位置情報は、必要に応じて補正して、記憶部３０に記憶される（ステップＳ５５）。
【００８２】
ユーザから所要時間の算出要求があった場合（ステップＳ５６でＹｅｓ）、必要に応じて所要時間を算出する１又は２点の座標を指定手段３５より受け取り（ステップＳ５８）、所要時間を算出する（ステップＳ５９）。
【００８３】
モバイル通信が可能な領域にユーザ端末３が位置している場合（ステップＳ６０でＹｅｓ）、それまでに取得した結果情報の内、未出力の結果情報（結果情報の差分）を、結果出力手段３７を介して出力する（ステップＳ６１）。
【００８４】
登山が終了するまで、ステップＳ５１〜６１が繰り返される。登山の終了が宣言されると（ステップＳ６２でＹｅｓ）、残りの結果情報が結果出力手段３７を介して出力される（ステップＳ６３）。登山の終了が宣言されると、経路情報管理サーバ１や登山計画の管理用サーバ（図示せず）等に対して、記憶した登山計画に関する登山が終了したことを示すフラグが設定される。登山の終了は、必ずしも宣言する必要はなく、位置取得部３２で取得した位置情報等に基づいて、判断されても構わない。
【００８５】
経路情報管理サーバ１は、受け取った結果情報を用いて、経路情報の座標や、難易係数の修正を行ったり（ステップＳ６５）、結果情報を出力したユーザの所要時間を算出する為に用いられる補正係数の修正を行う（ステップＳ６７）。
【符号の説明】
【００８６】
１  経路情報管理サーバ
１０１  ＣＰＵ
１０２  メモリ
１０３  記憶装置
１０４  入力装置
１０５  出力装置
１０６  通信装置
１０７  オペレーティングシステム
１０８  経路情報管理プログラム
２  管理者端末
３  ユーザ端末
３０  記憶部
３１  受信手段
３２  位置取得部
３３  表示手段
３４  結果記憶手段
３５  指定手段
３６  所要時間算出手段
３７  結果出力手段
４  記憶部
４１  地図ＤＢ
４２  地点・経路ＤＢ
４３  登山計画ＤＢ
４４  登山結果ＤＢ
４５  ユーザＤＢ
５  表示手段
６  指定手段
７  地点登録手段
８  経路登録手段
９  算出手段
１０  経路指定手段
１１  主経路登録手段
１２  受付手段
１３  作成手段
１４  所要時間算出手段
１５  出力手段
１６  結果受信手段
１７  修正手段
１８  補正係数算出手段
Ｎ  ネットワーク
Ｐ  広域通信可能領域
Ｉ  広域通信不可領域
Ｍ  山域
Ｒ  登山経路
【図１】
2018179750.tif 000007
【図２】
2018179750.tif 000008
【図３】
2018179750.tif 000009
【図４Ａ】
2018179750.tif 000010
【図４Ｂ】
2018179750.tif 000011
【図５】
2018179750.tif 000012
【図６Ａ】
2018179750.tif 000013
【図６Ｂ】
2018179750.tif 000014
【図７】
2018179750.tif 000015
【図８】
2018179750.tif 000016
【図９】
2018179750.tif 000017
【図１０Ａ】
2018179750.tif 000018
【図１０Ｂ】
2018179750.tif 000019
【図１１】
2018179750.tif 000020
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
山野エリアに関する経路の管理を行う経路情報管理システムであって、
管理者端末からの表示要求に応じて、座標系並びに標高が紐づけられた地図画像を表示する為の地図情報を出力する手段と、
前記管理者端末で表示された地図画像上で、指定された座標を用いて地点情報を設定し、地点の登録を受け付ける手段と、
前記管理者端末で表示された地図画像上で、指定された前記地点又は座標点の２以上を用いて経路情報を設定し、前記地点情報並びに方向区分を対応付けて経路の登録を受け付ける手段と、
ユーザ端末からの表示要求に応じて、前記地図画像を表示する為の地図情報を出力する手段と、
山野エリア経路を作成する為に、前記ユーザ端末で表示された地図画像上で指定された、経路に関する経路指定情報を有する作成要求を受け付ける手段と、
前記作成要求に基づいて山野エリア経路を作成する手段と、
前記経路に含まれた各地点又は座標点それぞれの座標及び標高を用いて、前記経路を移動する際の移動時間を算出する手段と、
複数の経路に関する前記移動時間を用いて、前記山野エリア経路を踏破する際の所要時間を算出する手段と、を備えることを特徴とする経路情報管理システム。
【請求項２】
登録された前記地点、経路は、ＩＤにより管理され、
前記ＩＤは、少なくとも地点、経路の種別及び、山域コードを用いて設定されること、を特徴とする請求項１に記載の経路情報管理システム。
【請求項３】
前記管理者端末で表示された地図画像上で、指定された２以上の連続した前記経路を用いて主経路情報を設定し、前記経路情報並びに方向区分を対応付けて主経路の登録を受付ける手段を備え、
前記作成要求は、前記経路指定情報又は主経路に関する主経路指定情報を有することを特徴とする請求項１又は請求項２に記載の経路情報管理システム。
【請求項４】
ユーザ端末によるインターネット通信ができない山域において、ユーザ端末に経路を表示させるために、前記山野エリア経路及び前記所要時間を有する山野エリア情報をユーザ端末に出力する出力手段と、を備えることを特徴とする請求項１〜３の何れかに記載の経路情報管理システム。
【請求項５】
前記作成要求は、前記ユーザ端末で表示された地図画像上で指定された１又は２以上の座標点を有し、
前記作成要求に含まれる座標点を用いて山野エリア経路を作成することを特徴とする請求項１〜４の何れかに記載の経路情報管理システム。
【請求項６】
ユーザ端末が山野エリアでの滞在中に取得した位置情報を含む結果情報を受信する結果受信手段と、
前記位置情報を用いて、前記経路情報を修正する修正手段と、を備えることを特徴とする請求項１〜５の何れかに記載の経路情報管理システム。
【請求項７】
前記経路情報は、前記算出手段で算出した前記移動時間及び難易係数を有し、
前記修正手段は、前記経路情報に含まれる難易係数の修正することで、移動時間の修正を行うことを特徴とする請求項６に記載の経路情報管理システム。
【請求項８】
前記経路情報は、指定された座標点の座標を有し、
前記修正手段は、前記管理者端末を介して登録された前記経路情報に含まれる座標の修正を行うことを特徴とする請求項６又は請求項７に記載の経路情報管理システム。
【請求項９】
ユーザ端末が山野エリアでの滞在中に取得した位置情報を含む結果情報を受信する結果受信手段と、
前記結果情報及び経路の標準的な移動時間に基づいて、ユーザごとの移動速度を加味した補正係数を算出する補正係数算出手段と、を備え、
前記所要時間は、前記補正係数を用いてユーザごとに算出されることを特徴とする請求項１〜８の何れかに記載の経路情報管理システム。
【請求項１０】
山野エリアに関する経路の管理を行う経路情報管理サーバであって、
管理者端末からの表示要求に応じて、座標系並びに標高が紐づけられた地図画像を表示する為の地図情報を出力する手段と、
前記管理者端末で表示された地図画像上で、指定された座標を用いて地点情報を設定し、地点の登録を受け付ける手段と、
前記管理者端末で表示された地図画像上で、指定された前記地点又は座標点の２以上を用いて経路情報を設定し、前記地点情報並びに方向区分を対応付けて経路の登録を受け付ける手段と、
ユーザ端末からの表示要求に応じて、前記地図画像を表示する為の地図情報を出力する手段と、
山野エリア経路を作成する為に、前記ユーザ端末で表示された地図画像上で指定された、経路に関する経路指定情報を含む作成要求を受け付ける手段と、
前記作成要求に基づいて山野エリア経路を作成する手段と、
前記経路に含まれた各地点又は座標点それぞれの座標及び標高を用いて、前記経路を移動する際の移動時間を算出する手段と、
複数の経路に関する前記移動時間を用いて、前記山野エリア経路を踏破する際の所要時間を算出する手段と、を備えることを特徴とする経路情報管理サーバ。
【請求項１１】
山野エリアに関する経路の管理を行う経路情報管理プログラムであって、
コンピュータを、
管理者端末からの表示要求に応じて、座標系並びに標高が紐づけられた地図画像を表示する為の地図情報を出力する手段と、
前記管理者端末で表示された地図画像上で、指定された座標を用いて地点情報を設定し、地点の登録を受け付ける手段と、
前記管理者端末で表示された地図画像上で、指定された前記地点又は座標点の２以上を用いて経路情報を設定し、前記地点情報並びに方向区分を対応付けて経路の登録を受け付ける手段と、
ユーザ端末からの表示要求に応じて、前記地図画像を表示する為の地図情報を出力する手段と、
山野エリア経路を作成する為に、前記ユーザ端末で表示された地図画像上で指定された、経路に関する経路指定情報を含む作成要求を受け付ける手段と、
前記作成要求に基づいて山野エリア経路を作成する手段と、
前記経路に含まれた各地点又は座標点それぞれの座標及び標高を用いて、前記経路を移動する際の移動時間を算出する手段と、
複数の経路に関する前記移動時間を用いて、前記山野エリア経路を踏破する際の所要時間を算出する手段と、として機能させることを特徴とする経路情報管理プログラム。
【手続補正２】
【補正対象書類名】明細書
【補正対象項目名】００１１
【補正方法】変更
【補正の内容】
【００１１】
上記課題を解決するために、本発明は、山野エリアに関する経路の管理を行う経路情報管理システムであって、
管理者端末からの表示要求に応じて、座標系並びに標高が紐づけられた地図画像を表示する為の地図情報を出力する手段と、
前記管理者端末で表示された地図画像上で、指定された座標を用いて地点情報を設定し、地点の登録を受け付ける手段と、
前記管理者端末で表示された地図画像上で、指定された前記地点又は座標点の２以上を用いて経路情報を設定し、前記地点情報並びに方向区分を対応付けて経路の登録を受け付ける手段と、
ユーザ端末からの表示要求に応じて、前記地図画像を表示する為の地図情報を出力する手段と、
山野エリア経路を作成する為に、前記ユーザ端末で表示された地図画像上で指定された、経路に関する経路指定情報を有する作成要求を受け付ける手段と、
前記作成要求に基づいて山野エリア経路を作成する手段と、
前記経路に含まれた各地点又は座標点それぞれの座標及び標高を用いて、前記経路を移動する際の移動時間を算出する手段と、
複数の経路に関する前記移動時間を用いて、前記山野エリア経路を踏破する際の所要時間を算出する手段と、を備えることを特徴とする。
【手続補正３】
【補正対象書類名】明細書
【補正対象項目名】００１３
【補正方法】変更
【補正の内容】
【００１３】
また、このような構成とすることで、予め地点を登録しておくことができ、この地点を用いて経路を登録したり、山野エリア経路の作成などを行うことができる。
また、このような構成とすることで、ユーザは、予め登録された経路情報を用いて、山野エリア経路を作成し、その経路や所要時間等を取得することができる。
【手続補正４】
【補正対象書類名】明細書
【補正対象項目名】００１４
【補正方法】変更
【補正の内容】
【００１４】
本発明の好ましい形態では、登録された前記地点、経路は、ＩＤにより管理され、
前記ＩＤは、少なくとも地点、経路の種別及び、山域コードを用いて設定されること、を特徴とする。
【手続補正５】
【補正対象書類名】明細書
【補正対象項目名】００１５
【補正方法】変更
【補正の内容】
【００１５】
本発明の好ましい形態では、ユーザ端末によるインターネット通信ができない山域において、ユーザ端末に経路を表示させるために、前記山野エリア経路及び前記所要時間を有する山野エリア情報をユーザ端末に出力する出力手段と、を備えることを特徴とする。
このような構成とすることで、作成した山野エリア経路をユーザ端末に出力して、表示などに利用することができる。
【手続補正６】
【補正対象書類名】明細書
【補正対象項目名】００１６
【補正方法】変更
【補正の内容】
【００１６】
本発明の好ましい形態では、前記管理者端末で表示された地図画像上で、指定された２以上の連続した前記経路を用いて主経路情報を設定し、前記経路情報並びに方向区分を対応付けて主経路の登録を受付ける手段を備え、
前記作成要求は、前記経路指定情報又は主経路に関する主経路指定情報を有することを特徴とする。
このような構成とすることで、ユーザは、予め登録された主経路に基づいて、山野エリア経路を作成し、その経路や所要時間等を取得することができる。
【手続補正７】
【補正対象書類名】明細書
【補正対象項目名】００１７
【補正方法】変更
【補正の内容】
【００１７】
本発明の好ましい形態では、前記作成要求は、前記ユーザ端末で表示された地図画像上で指定された１又は２以上の座標点を有し、
前記作成要求に含まれる座標点を用いて山野エリア経路を作成することを特徴とする。
【手続補正８】
【補正対象書類名】明細書
【補正対象項目名】００１９
【補正方法】変更
【補正の内容】
【００１９】
本発明の好ましい形態では、前記経路情報は、前記算出手段で算出した前記移動時間及び難易係数を有し、
前記修正手段は、前記経路情報に含まれる難易係数の修正することで、移動時間の修正を行うことを特徴とする。
このような構成とすることで、算出された移動時間を修正することができる。 
【手続補正９】
【補正対象書類名】明細書
【補正対象項目名】００２０
【補正方法】変更
【補正の内容】
【００２０】
本発明の好ましい形態では、前記経路情報は、指定された座標点の座標を有し、
前記修正手段は、前記管理者端末を介して登録された前記経路情報に含まれる前記地点又は座標点の座標の修正を行うことを特徴とする。
このような構成とすることで、経路を修正することができる。
【手続補正１０】
【補正対象書類名】明細書
【補正対象項目名】００２１
【補正方法】変更
【補正の内容】
【００２１】
本発明の好ましい形態では、ユーザ端末が山野エリアでの滞在中に取得した位置情報を含む結果情報を受信する結果受信手段と、
前記結果情報及び経路の標準的な移動時間に基づいて、ユーザごとの移動速度を加味した補正係数を算出する補正係数算出手段と、を備え、
前記所要時間は、前記補正係数を用いてユーザごとに算出されることを特徴とする。
【手続補正１１】
【補正対象書類名】明細書
【補正対象項目名】００２２
【補正方法】変更
【補正の内容】
【００２２】
本発明は、山野エリアに関する経路の管理を行う経路情報管理サーバであって、
管理者端末からの表示要求に応じて、座標系並びに標高が紐づけられた地図画像を表示する為の地図情報を出力する手段と、
前記管理者端末で表示された地図画像上で、指定された座標を用いて地点情報を設定し、地点の登録を受け付ける手段と、
前記管理者端末で表示された地図画像上で、指定された前記地点又は座標点の２以上を用いて経路情報を設定し、前記地点情報並びに方向区分を対応付けて経路の登録を受け付ける手段と、
ユーザ端末からの表示要求に応じて、前記地図画像を表示する為の地図情報を出力する手段と、
山野エリア経路を作成する為に、前記ユーザ端末で表示された地図画像上で指定された、経路に関する経路指定情報を含む作成要求を受け付ける手段と、
前記作成要求に基づいて山野エリア経路を作成する手段と、
前記経路に含まれた各地点又は座標点それぞれの座標及び標高を用いて、前記経路を移動する際の移動時間を算出する手段と、
複数の経路に関する前記移動時間を用いて、前記山野エリア経路を踏破する際の所要時間を算出する手段と、を備えることを特徴とする。
【手続補正１２】
【補正対象書類名】明細書
【補正対象項目名】００２３
【補正方法】変更
【補正の内容】
【００２３】
本発明は、山野エリアに関する経路の管理を行う経路情報管理プログラムであって、
コンピュータを、
管理者端末からの表示要求に応じて、座標系並びに標高が紐づけられた地図画像を表示する為の地図情報を出力する手段と、
前記管理者端末で表示された地図画像上で、指定された座標を用いて地点情報を設定し、地点の登録を受け付ける手段と、
前記管理者端末で表示された地図画像上で、指定された前記地点又は座標点の２以上を用いて経路情報を設定し、前記地点情報並びに方向区分を対応付けて経路の登録を受け付ける手段と、
ユーザ端末からの表示要求に応じて、前記地図画像を表示する為の地図情報を出力する手段と、
山野エリア経路を作成する為に、前記ユーザ端末で表示された地図画像上で指定された、経路に関する経路指定情報を含む作成要求を受け付ける手段と、
前記作成要求に基づいて山野エリア経路を作成する手段と、
前記経路に含まれた各地点又は座標点それぞれの座標及び標高を用いて、前記経路を移動する際の移動時間を算出する手段と、
複数の経路に関する前記移動時間を用いて、前記山野エリア経路を踏破する際の所要時間を算出する手段と、として機能させることを特徴とする。